(57)【要約】【課題】通信端末として携帯電話機を用いて、より簡便にプリント注文サービスを利用することができるシステムを提供する。【解決手段】通信ネットワークＮを介して接続された携帯電話機１との間で、プリント注文を受け付ける受注サーバ２であって、テンプレートを識別するためのテンプレート番号と、注文入力票データとを対応付けて記憶する注文入力票データベース２３１を備え、ＣＰＵ２１は、携帯電話機１から送信されたテンプレート選択電子メール中のテンプレート番号に基づいて、テンプレート番号に対応する注文入力票データを注文入力票データベース２３１から読み出し、次に、読み出された注文入力票データを記載した注文入力票電子メールを作成し、さらに作成された注文入力票電子メールを携帯電話機１に送信するように構成した。【選択図】図４
2006268105.tif 000002
【特許請求の範囲】
【請求項１】
ネットワークを介して接続された携帯電話機との間で、画像のプリント注文を受け付ける受注サーバであって、
テンプレート画像を識別するためのテンプレート識別情報と、当該テンプレート画像による画像プリントを行うために必要な注文内容項目情報とを対応付けて記憶するテンプレート情報記憶手段と、
前記携帯電話機から送信され、前記テンプレート識別情報が含まれた注文依頼電子メール中のテンプレート識別情報に基づいて、当該テンプレート識別情報に対応する前記注文内容項目情報を前記テンプレート情報記憶手段から取得する取得手段と、
前記取得手段によって取得された注文内容項目情報を記載した注文票電子メールを作成する注文票電子メール作成手段と、
前記注文票電子メール作成手段によって作成された前記注文票電子メールを前記携帯電話機に送信する送信手段と、
を備えることを特徴とする受注サーバ。
【請求項２】
画像のプリント注文内容を記憶するプリント注文内容記憶手段と、
前記送信手段によって送信された前記注文票電子メールに対して返信された注文票返信電子メール中の注文内容項目情報に関する注文内容情報を、前記プリント注文内容記憶手段に記憶させる記憶制御手段と、
を備えることを特徴とする請求項１記載の受注サーバ。
【請求項３】
ネットワークを介して接続された携帯電話機との間で、画像のプリント注文を受け付ける受注サーバであって、
テンプレート画像を識別するためのテンプレート識別情報と、当該テンプレート画像による画像プリントを行うために必要な注文内容項目情報が記載された注文票ページ情報を取得するためのアクセス情報とを対応付けて記憶するテンプレート情報記憶手段と、
前記携帯電話機から送信され、前記テンプレート識別情報が含まれた注文依頼電子メール中のテンプレート識別情報に基づいて、当該テンプレート識別情報に対応する前記アクセス情報を前記テンプレート情報記憶手段から取得する取得手段と、
前記取得手段によって取得されたアクセス情報を記載した注文票電子メールを作成する注文票電子メール作成手段と、
前記注文票電子メール作成手段によって作成された前記注文票電子メールを前記携帯電話機に送信する送信手段と、
を備えることを特徴とする受注サーバ。
【請求項４】
画像のプリント注文内容を記憶するプリント注文内容記憶手段と、
前記アクセス情報と、当該アクセス情報に対応する前記注文票ページ情報とを対応付けて記憶する注文票ページ情報記憶手段と、
前記携帯電話機からの前記アクセス情報の受信に基づいて、前記注文票ページ情報記憶手段から対応する注文票ページ情報を取得する注文票ページ情報取得手段と、
前記注文票ページ情報取得手段によって取得された注文票ページ情報を送信する注文票ページ情報送信手段と、
前記携帯電話機から送信された注文票返信ページ情報中の注文内容項目情報に関する注文内容情報を、前記プリント注文内容記憶手段に記憶させる記憶制御手段と、
を備えることを特徴とする請求項３記載の受注サーバ。
【請求項５】
携帯電話機と、この携帯電話機とネットワークを介して接続され、画像のプリント注文を受け付ける受注サーバと、を備えるプリント注文システムであって、
前記受注サーバは、
テンプレート画像を識別するためのテンプレート識別情報と、当該テンプレート画像による画像プリントを行うために必要な注文内容項目情報とを対応付けて記憶するテンプレート情報記憶手段と、
前記携帯電話機から送信され、前記テンプレート識別情報が含まれた注文依頼電子メール中のテンプレート識別情報に基づいて、当該テンプレート識別情報に対応する前記注文内容項目情報を前記テンプレート情報記憶手段から取得する取得手段と、
前記取得手段によって取得された注文内容項目情報を記載した注文票電子メールを作成する注文票電子メール作成手段と、
前記注文票電子メール作成手段によって作成された前記注文票電子メールを前記携帯電話機に送信する送信手段と、を備え、
前記携帯電話機は、
電子メール作成画面上に前記テンプレート識別情報を入力する入力手段と、
前記入力手段によってテンプレート識別情報が入力された注文依頼電子メールを前記受注サーバに送信する注文依頼電子メール送信手段と、
を備えることを特徴とするプリント注文システム。
【請求項６】
携帯電話機と、この携帯電話機とネットワークを介して接続され、画像のプリント注文を受け付ける受注サーバと、を備えるプリント注文システムであって、
前記受注サーバは、
テンプレート画像を識別するためのテンプレート識別情報と、当該テンプレート画像による画像プリントを行うために必要な注文内容項目情報が記載された注文票ページ情報を取得するためのアクセス情報とを対応付けて記憶するテンプレート情報記憶手段と、
前記携帯電話機から送信され、前記テンプレート識別情報が含まれた注文依頼電子メール中のテンプレート識別情報に基づいて、当該テンプレート識別情報に対応する前記アクセス情報を前記テンプレート情報記憶手段から取得する取得手段と、
前記取得手段によって取得されたアクセス情報を記載した注文票電子メールを作成する注文票電子メール作成手段と、
前記注文票電子メール作成手段によって作成された前記注文票電子メールを前記携帯電話機に送信する送信手段と、を備え、
前記携帯電話機は、
電子メール作成画面上に前記テンプレート識別情報を入力する入力手段と、
前記入力手段によってテンプレート識別情報が入力された注文依頼電子メールを前記受注サーバに送信する注文依頼電子メール送信手段と、
を備えることを特徴とするプリント注文システム。
【請求項７】
デザインが異なる複数のテンプレート画像と、各テンプレート画像に対応するテンプレート識別情報とが記載されたスタッファを備えていることを特徴とする請求項５又は６記載のプリント注文システム。
【請求項８】
テンプレート画像を識別するためのテンプレート識別情報と、当該テンプレート画像による画像プリントを行うために必要な注文内容項目情報とを対応付けて記憶するテンプレート情報記憶手段を備え、ネットワークを介して接続された携帯電話機との間で、画像のプリント注文を受け付けるコンピュータに、
前記携帯電話機から送信され、前記テンプレート識別情報が含まれた注文依頼電子メール中のテンプレート識別情報に基づいて、当該テンプレート識別情報に対応する前記注文内容項目情報を前記テンプレート情報記憶手段から取得する機能、
取得された注文内容項目情報を記載した注文票電子メールを作成する機能、
作成された前記注文票電子メールを前記携帯電話機に送信する機能、
を実現させるためのプログラム。
【請求項９】
テンプレート画像を識別するためのテンプレート識別情報と、当該テンプレート画像による画像プリントを行うために必要な注文内容項目情報が記載された注文票ページ情報を取得するためのアクセス情報とを対応付けて記憶するテンプレート情報記憶手段を備え、ネットワークを介して接続された携帯電話機との間で、画像のプリント注文を受け付けるコンピュータに、
前記携帯電話機から送信され、前記テンプレート識別情報が含まれた注文依頼電子メール中のテンプレート識別情報に基づいて、当該テンプレート識別情報に対応する前記アクセス情報を前記テンプレート情報記憶手段から取得する機能、
取得されたアクセス情報を記載した注文票電子メールを作成する機能、
作成された前記注文票電子メールを前記携帯電話機に送信する機能、
を実現させるためのプログラム。
【発明の詳細な説明】
【技術分野】
【０００１】
本発明は、ネットワークを介して画像プリント注文を受け付ける受注サーバ、プリント注文システム及びプログラムに関する。
【背景技術】
【０００２】
近年、デジタルカメラやカメラ付き携帯電話機の普及に伴い、通信ネットワーク経由でのフォトサービスの利用が増えている。現在、利用されているフォトサービスの一例として、デジタルカメラやカメラ付き携帯電話機で撮影した画像を使用したポストカードなどの画像加工品のプリント注文サービスが挙げられる。また、増大するフォトサービスの利用に対応して、迅速かつ確実にフォトサービスを提供するためのシステムも提案されている（特許文献１参照）。
【特許文献１】特開２００１-３４４３１３
【発明の開示】
【発明が解決しようとする課題】
【０００３】
しかしながら、上述のようなプリント注文サービスは、通信端末としてＰＣ（Personal Computer）を用いて利用されることが前提となっている。したがって、カメラ付き携帯電話機で撮影した画像に対して上述のようなプリント注文サービスを利用する場合であっても、通信端末として携帯電話機を用いるのではなく、ＰＣを用いているのが現状である。
【０００４】
携帯電話機は、ＰＣと比較してユーザが多い点、操作が容易な点、使用場所を選ばない点などから、通信端末として有用なツールである。しかしながら、上述のようなプリント注文サービスを利用するために、通信端末として携帯電話機を用いると、以下のような不便な点がある。
【０００５】
携帯電話機の表示画面の大きさは、ＰＣの表示画面の大きさと比較して小さく、その大きさには限界がある。したがって、例えば、ポストカードのプリント注文サービスを利用するにあたって、複数のポストカードテンプレートの中から気に入ったポストカードテンプレートを選択する際、通信端末として携帯電話機を用いたのでは、複数のポストカードテンプレートを一覧として見ることができず、ポストカードテンプレート同士を比較検討するのに不便である。
【０００６】
また、携帯電話機の一画面に表示できる情報量は、ＰＣの一画面に表示できる情報量と比較して少ない。すなわち、ＰＣと同一の方法でプリント注文サービスを利用する場合、携帯電話機を使用して利用する際の通信回数は、ＰＣを使用して利用する際の通信回数と比較して多くなる。したがって、通信端末として携帯電話機を用いたのでは、通信時間及び通信費がより多く掛かるため不便である。
【０００７】
本発明の課題は、通信端末として携帯電話機を用いて、より簡便にプリント注文サービスを利用することができるシステムを提供することにある。
【課題を解決するための手段】
【０００８】
上記課題を解決するために、請求項１記載の発明は、ネットワークを介して接続された携帯電話機との間で、画像のプリント注文を受け付ける受注サーバであって、テンプレート画像を識別するためのテンプレート識別情報と、当該テンプレート画像による画像プリントを行うために必要な注文内容項目情報とを対応付けて記憶するテンプレート情報記憶手段と、前記携帯電話機から送信され、前記テンプレート識別情報が含まれた注文依頼電子メール中のテンプレート識別情報に基づいて、当該テンプレート識別情報に対応する前記注文内容項目情報を前記テンプレート情報記憶手段から取得する取得手段と、前記取得手段によって取得された注文内容項目情報を記載した注文票電子メールを作成する注文票電子メール作成手段と、前記注文票電子メール作成手段によって作成された前記注文票電子メールを前記携帯電話機に送信する送信手段と、を備えることを特徴とする。
【０００９】
請求項２記載の発明は、請求項１記載の受注サーバであって、画像のプリント注文内容を記憶するプリント注文内容記憶手段と、前記送信手段によって送信された前記注文票電子メールに対して返信された注文票返信電子メール中の注文内容項目情報に関する注文内容情報を、前記プリント注文内容記憶手段に記憶させる記憶制御手段と、を備えることを特徴とする。
【００１０】
請求項３記載の発明は、ネットワークを介して接続された携帯電話機との間で、画像のプリント注文を受け付ける受注サーバであって、テンプレート画像を識別するためのテンプレート識別情報と、当該テンプレート画像による画像プリントを行うために必要な注文内容項目情報が記載された注文票ページ情報を取得するためのアクセス情報とを対応付けて記憶するテンプレート情報記憶手段と、前記携帯電話機から送信され、前記テンプレート識別情報が含まれた注文依頼電子メール中のテンプレート識別情報に基づいて、当該テンプレート識別情報に対応する前記アクセス情報を前記テンプレート情報記憶手段から取得する取得手段と、前記取得手段によって取得されたアクセス情報を記載した注文票電子メールを作成する注文票電子メール作成手段と、前記注文票電子メール作成手段によって作成された前記注文票電子メールを前記携帯電話機に送信する送信手段と、を備えることを特徴とする。
【００１１】
請求項４記載の発明は、請求項３記載の受注サーバであって、画像のプリント注文内容を記憶するプリント注文内容記憶手段と、前記アクセス情報と、当該アクセス情報に対応する前記注文票ページ情報とを対応付けて記憶する注文票ページ情報記憶手段と、前記携帯電話機からの前記アクセス情報の受信に基づいて、前記注文票ページ情報記憶手段から対応する注文票ページ情報を取得する注文票ページ情報取得手段と、前記注文票ページ情報取得手段によって取得された注文票ページ情報を送信する注文票ページ情報送信手段と、前記携帯電話機から送信された注文票返信ページ情報中の注文内容項目情報に関する注文内容情報を、前記プリント注文内容記憶手段に記憶させる記憶制御手段と、を備えることを特徴とする。
【００１２】
請求項５記載の発明は、携帯電話機と、この携帯電話機とネットワークを介して接続され、画像のプリント注文を受け付ける受注サーバと、を備えるプリント注文システムであって、前記受注サーバは、テンプレート画像を識別するためのテンプレート識別情報と、当該テンプレート画像による画像プリントを行うために必要な注文内容項目情報とを対応付けて記憶するテンプレート情報記憶手段と、前記携帯電話機から送信され、前記テンプレート識別情報が含まれた注文依頼電子メール中のテンプレート識別情報に基づいて、当該テンプレート識別情報に対応する前記注文内容項目情報を前記テンプレート情報記憶手段から取得する取得手段と、前記取得手段によって取得された注文内容項目情報を記載した注文票電子メールを作成する注文票電子メール作成手段と、前記注文票電子メール作成手段によって作成された前記注文票電子メールを前記携帯電話機に送信する送信手段と、を備え、前記携帯電話機は、電子メール作成画面上に前記テンプレート識別情報を入力する入力手段と、前記入力手段によってテンプレート識別情報が入力された注文依頼電子メールを前記受注サーバに送信する注文依頼電子メール送信手段と、を備えることを特徴とする。
【００１３】
請求項６記載の発明は、携帯電話機と、この携帯電話機とネットワークを介して接続され、画像のプリント注文を受け付ける受注サーバと、を備えるプリント注文システムであって、前記受注サーバは、テンプレート画像を識別するためのテンプレート識別情報と、当該テンプレート画像による画像プリントを行うために必要な注文内容項目情報が記載された注文票ページ情報を取得するためのアクセス情報とを対応付けて記憶するテンプレート情報記憶手段と、前記携帯電話機から送信され、前記テンプレート識別情報が含まれた注文依頼電子メール中のテンプレート識別情報に基づいて、当該テンプレート識別情報に対応する前記アクセス情報を前記テンプレート情報記憶手段から取得する取得手段と、前記取得手段によって取得されたアクセス情報を記載した注文票電子メールを作成する注文票電子メール作成手段と、前記注文票電子メール作成手段によって作成された前記注文票電子メールを前記携帯電話機に送信する送信手段と、を備え、前記携帯電話機は、電子メール作成画面上に前記テンプレート識別情報を入力する入力手段と、前記入力手段によってテンプレート識別情報が入力された注文依頼電子メールを前記受注サーバに送信する注文依頼電子メール送信手段と、を備えることを特徴とする。
【００１４】
請求項７記載の発明は、請求項５又は６記載のプリント注文システムであって、デザインが異なる複数のテンプレート画像と、各テンプレート画像に対応するテンプレート識別情報とが記載されたスタッファを備えていることを特徴とする。
【００１５】
請求項８記載の発明は、テンプレート画像を識別するためのテンプレート識別情報と、当該テンプレート画像による画像プリントを行うために必要な注文内容項目情報とを対応付けて記憶するテンプレート情報記憶手段を備え、ネットワークを介して接続された携帯電話機との間で、画像のプリント注文を受け付けるコンピュータに、前記携帯電話機から送信され、前記テンプレート識別情報が含まれた注文依頼電子メール中のテンプレート識別情報に基づいて、当該テンプレート識別情報に対応する前記注文内容項目情報を前記テンプレート情報記憶手段から取得する機能、取得された注文内容項目情報を記載した注文票電子メールを作成する機能、作成された前記注文票電子メールを前記携帯電話機に送信する機能、を実現させることを特徴とする。
【００１６】
請求項９記載の発明は、テンプレート画像を識別するためのテンプレート識別情報と、当該テンプレート画像による画像プリントを行うために必要な注文内容項目情報が記載された注文票ページ情報を取得するためのアクセス情報とを対応付けて記憶するテンプレート情報記憶手段を備え、ネットワークを介して接続された携帯電話機との間で、画像のプリント注文を受け付けるコンピュータに、前記携帯電話機から送信され、前記テンプレート識別情報が含まれた注文依頼電子メール中のテンプレート識別情報に基づいて、当該テンプレート識別情報に対応する前記アクセス情報を前記テンプレート情報記憶手段から取得する機能、取得されたアクセス情報を記載した注文票電子メールを作成する機能、作成された前記注文票電子メールを前記携帯電話機に送信する機能、を実現させることを特徴とする。
【発明の効果】
【００１７】
請求項１又は８記載の発明によれば、携帯電話機からプリント注文依頼を受け付けるにあたり必要な情報は、テンプレート識別情報のみであり、これにより注文したテンプレート画像に必要な注文内容項目情報を入手できるので、携帯電話機のユーザにとって操作が容易で、且つ、通信時間及び通信費を抑制することができることとなって、より簡便で利用しやすいプリント注文サービスを提供することができる。
【００１８】
請求項２記載の発明によれば、請求項１に記載の発明と同様の効果が得られることは無論のこと、特に、携帯電話機からの返信電子メールの受信だけによって、プリント注文を受け付けることができるので、ユーザは注文したテンプレート画像に必要な注文内容項目情報に関する注文内容情報を入力して返信するだけで注文できることとなって、効率的なプリント注文サービスを提供することができる。
【００１９】
請求項３又は９記載の発明によれば、携帯電話機からプリント注文依頼を受け付けるにあたり必要な情報は、テンプレート識別情報のみであり、これにより注文したテンプレート画像に必要な注文内容項目情報を入手できるので、携帯電話機のユーザにとって操作が容易で、且つ、通信時間及び通信費を抑制することができることとなって、より簡便で利用しやすいプリント注文サービスを提供することができる。
【００２０】
請求項４記載の発明によれば、請求項３に記載の発明と同様の効果が得られることは無論のこと、特に、携帯電話機からのアクセス情報及び注文票返信ページ情報の受信だけによって、プリント注文を受け付けることができるので、ユーザは注文したテンプレート画像に必要な注文内容項目情報に関する注文内容情報を入力して返信するだけで注文できることとなって、効率的なプリント注文サービスを提供することができる。
【００２１】
請求項５記載の発明によれば、本発明のプリント注文システムを利用するユーザは、電子メール作成画面にテンプレート識別情報のみを入力すればよく、そしてそのテンプレート識別情報を入力した注文依頼電子メールを受注サーバに送信するだけで、画像プリント注文を行うために必要な注文内容項目情報を入手できるので、操作が容易で、且つ、通信時間及び通信費を抑制することができることとなって、より簡便にプリント注文することができる。
【００２２】
請求項６記載の発明によれば、本発明のプリント注文システムを利用するユーザは、電子メール作成画面にテンプレート識別情報のみを入力すればよく、そしてそのテンプレート識別情報を入力した注文依頼電子メールを受注サーバに送信するだけで、画像プリント注文を行うために必要な注文内容項目情報が記載された注文票ページ情報を取得するためのアクセス情報を入手できるので、操作が容易で、且つ、通信時間及び通信費を抑制することができることとなって、より簡便にプリント注文することができる。
【００２３】
請求項７記載の発明によれば、請求項５又は６に記載の発明と同様の効果が得られることは無論のこと、特に、スタッファ上で、テンプレート画像同士を比較検討することができるため、携帯電話機を用いて本発明のプリント注文システムを利用するユーザは、表示画面の大きさに限界のある携帯電話機を用いても、充実したプリント注文サービスを利用することができる。
【発明を実施するための最良の形態】
【００２４】
以下、図を参照して本発明を実施するための最良の形態を詳細に説明する。
〔第１の実施の形態〕
第１の実施の形態について説明する。
まず、構成を説明する。
【００２５】
（システム全体の構成）
図１は、本発明の第１の実施の形態であるプリント注文システム１００の全体構成を示す図である。
プリント注文システム１００は、例えば、図１に示すように、携帯電話機１、受注サーバ２、プリント作製装置３、基地局４などから構成されている。携帯電話機１は、基地局４及び通信ネットワークＮを介して、受注サーバ２に接続されている。プリント作製装置３は、通信ネットワークＮを介して、受注サーバ２に接続されている。
【００２６】
通信ネットワークＮは、電話回線網、ＩＳＤＮ回線網、専用線、移動体通信網、通信衛星回線、ＣＡＴＶ回線網などの各種通信回線と、それらを接続するインターネットサービスプロバイダを含む。
【００２７】
なお、図１においては、一台の携帯電話機１と一台の受注サーバ２とから構成されている場合を示したが、複数台の携帯電話機１と１台の受注サーバ２とから構成される場合であってもよい。
【００２８】
そして、プリント注文システム１００では、例えば、フォトサービスを提供する写真専門店や取次店などで入手することができる注文票（スタッファ）を利用して、プリント作製の注文を行う。
【００２９】
注文票（スタッファ）は、例えば、図２のポストカード用スタッファ５に示すように、利用目的に応じて、例えば、「結婚」、「誕生」、「入学」、「転居」などの複数のカテゴリに分かれており、各カテゴリに対して、テンプレートにサンプル画像及びサンプル文字をはめ込んだ複数のポストカードサンプルが用意されている。具体的には、例えば、図２に示すように、カテゴリが「結婚」の場合には、４種類のポストカードサンプルが用意されている。各ポストカードサンプルの上部には各テンプレートを識別するためのテンプレート番号（例えば、“L-1Y”、“L-2Y”、…）が記載されている。また、各ポストカードサンプルの下部にはポストカード作製を注文する際の注意事項（例えば、“住所、氏名、ＴＥＬが入ります。”、“画像を１枚ご用意ください。”…）が記載されている。
【００３０】
また、ポストカード用スタッファ５には、受取店コード及びテンプレート番号送信アドレスが記載されている。受取店コードは、各受取店を識別するためのコードである。受取店とは、ユーザが出来上がったポストカードを受け取る店のことである。テンプレート番号送信アドレスは、注文依頼電子メールとしてのテンプレート選択電子メールの宛先である。テンプレート選択電子メールとは、ポストカード作製を注文する際に最初に送信する、テンプレート番号を記入した電子メールのことである。
【００３１】
（携帯電話機の構成）
携帯電話機１は、例えば、図３に示すように、ＣＰＵ（Central Processing Unit）１１、ＲＡＭ（Random Access Memory）１２、ＲＯＭ（Read Only Memory）１３、入力部１４、撮影部１５、表示部１６、アンテナ１７１を有する無線通信制御部１７及び記憶部１８などを備えている。各部は、バス１９によって接続されている。
【００３２】
ＣＰＵ１１は、ＲＯＭ１３内に格納された携帯電話機１用の各種処理プログラムに従って各種の制御動作を行う。
【００３３】
ＲＡＭ１２は、ＣＰＵ１１によって実行される処理プログラムなどをＲＡＭ１２内のプログラム格納領域に展開するとともに、入力データや上記処理プログラムが実行される際に生じる処理結果などをワークエリアに格納する。
【００３４】
ＲＯＭ１３は、携帯電話機１で実行可能なシステムプログラム、当該システムプログラムで実行可能な各種処理プログラム、その処理プログラムで利用されるデータなどを格納している。これらのプログラムは、コンピュータが読み取り可能なプログラムコードの形でＲＯＭ１３内に格納されている。具体的には、本発明におけるＲＯＭ１３内には、電子メールを作成したり、送受信したりするためのプログラムである、電子メール作成・送受信プログラム１３１などが格納されている。
【００３５】
入力部１４は、例えば、カーソルキー、文字／数字キー、各種機能キーなどから構成され、オペレータのキー操作に伴う押下信号をＣＰＵ１１に出力する。なお、本発明における入力部１４は、ユーザによって操作され、例えば、電子メール作成画面に電子メールアドレスを入力する際などに使用される。
【００３６】
撮影部１５は、例えば、ガラス又はプラスチックからなる光学レンズ、ＣＣＤ（Charge Coupled Diode）やＣＭＯＳ（Complementary Metal Oxide Semiconductor）などの撮像素子、Ａ／Ｄ変換器などから構成されている。光学レンズを介して入力された画像は、撮像素子によって電気信号に変換され、更にＡ／Ｄ変換器によってＡ／Ｄ変換されてデジタルの撮影画像データとなる。被写体の撮影は、入力部１４のシャッターキーの押下によって実行される。なお、本発明における撮影部１５は、ポストカードにはめ込む画像などの撮影の際に使用される。
【００３７】
表示部１６は、例えば、ＬＣＤ（Liquid Crystal Display）パネルなどから構成され、ＣＰＵ１１から入力される表示信号に従って所要の表示処理を行う。
【００３８】
無線通信制御部１７は、アンテナ１７１を有しており、ＣＰＵ１１から入力される制御信号に従って、基地局４との間で携帯電話機用の通信プロトコルに準じたデータ通信などを行うための通信制御を行う。なお、本発明における無線通信制御部１７は、受注サーバ２と電子メールの送受信を行う際に使用される。
【００３９】
記憶部１８は、データなどが予め記憶されている記録媒体（図示略）を有しており、この記録媒体は半導体メモリで構成されている。記憶部１８は、ＣＰＵ１１によって演算処理された処理結果のデータなどを記憶する領域を備えている。具体的には、本発明における記憶部１８は、撮影画像データを記憶する撮影画像データ記憶エリア１８１、電子メールのアドレスデータを記憶するアドレスデータ記憶エリア１８２などを備えている。撮影画像データとは、ユーザが撮影部１５を使用して撮影した画像のうち、ユーザが入力部１４を使用して保存するよう選択した画像のデータである。アドレスデータとは、送受信した電子メールから抽出したアドレスのデータである。
【００４０】
（受注サーバの構成）
受注サーバ２は、例えば、図４に示すように、ＣＰＵ２１、ＲＡＭ２２、記憶部２３、ＲＯＭ２４及び通信制御部２５などを備えている。各部は、バス２６によって接続されている。なお、図４においては、受注サーバ２の各部が一体的に構成されているような場合を示したが、受注サーバ２の各部のいずれか一つ以上がそれぞれ通信制御部を有する別体として通信ネットワークＮ上に分散されるような場合であってもよい。
【００４１】
ＣＰＵ２１は、ＲＯＭ２４内に格納された受注サーバ２用の各種処理プログラムに従って各種の制御動作を行う。
【００４２】
ＲＡＭ２２は、ＣＰＵ２１によって実行される処理プログラムなどをＲＡＭ２２内のプログラム格納領域に展開するとともに、入力データや上記処理プログラムが実行される際に生じる処理結果などをワークエリアに格納する。
【００４３】
記憶部２３は、データなどが予め記憶されている記録媒体（図示略）を有しており、この記録媒体は磁気的、光学的記録媒体、若しくは半導体メモリで構成されている。記憶部２３は、ＲＯＭ２４内に格納された各種処理プログラムを実行する際に使用されるデータ、ＣＰＵ２１によって演算処理された処理結果のデータなどを記憶する。具体的には、本発明における記憶部２３内には、テンプレート情報記憶手段としての注文入力票データベース２３１、プリント注文内容記憶手段としての注文内容データベース２３２、受取店データベース２３３などが格納されている。
【００４４】
注文入力票データベース２３１は、携帯電話機１へ送信する注文入力票電子メールにおける注文内容項目情報としての注文入力票データを、テンプレート識別情報としてのテンプレート番号と対応付けて記憶する。具体的には、例えば、図５の注文入力票データベース２３１に示すように、テンプレート番号２３１ａと、注文入力票データ（ユーザ画像の枚数２３１ｂ、ユーザ記入項目２３１ｃ）とを対応付けて記憶する。
【００４５】
ここで、テンプレート番号２３１ａは、ポストカード用スタッファ５に記載されたポストカード作製に使用可能なテンプレートを識別するための番号である。
【００４６】
ユーザ画像の枚数２３１ｂは、各テンプレートにはめ込むことができる画像の枚数を示す。例えば、図５の注文入力票データベース２３１において、テンプレート番号「L-3Y」のユーザ画像の枚数は、「１」となっている。したがって、このデータを利用して作成されるテンプレート番号「L-3Y」用の注文入力票電子メールには、「ユーザ画像の枚数１枚」という文字が記載される。
【００４７】
ユーザ記入項目２３１ｃは、各テンプレートにはめ込むことができる文字に関する項目（「投函年月」、「住所」、「氏名」、「ＴＥＬ」、「自由あいさつ文」など）、ポストカード作製を注文する際の条件に関する項目（「受取店コード」、「注文枚数」など）などを示す。ここで、例えば、図５の注文入力票データベース２３１において、“○”の付いた項目は、ユーザによる記入を必要とする項目を示し、“×”の付いた項目は、ユーザによる記入を必要としない項目を示す。具体的には、例えば、図５の注文入力票データベース２３１において、テンプレート番号「L-3Y」の「住所」、「氏名」、「ＴＥＬ」、「自由あいさつ文」、「受取店コード」及び「注文枚数」の項目は“○”、「投函年月」の項目は“×”となっている。したがって、このデータを利用して作成されるテンプレート番号「L-3Y」用の注文入力票電子メールには、「住所」、「氏名」、「ＴＥＬ」、「自由あいさつ文」、「受取店コード」及び「注文枚数」という文字が記載され、「投函年月」という文字は記載されない。
また、「自由あいさつ文」のデータは、各テンプレートにはめ込むことができる「自由あいさつ文」の文字数のデータも含んでいる。例えば、図５の注文入力票データベース２３１において、テンプレート番号「L-3Y」の「自由あいさつ文」の項目は、“○（20文字以内）”となっている。したがって、このデータを利用して作成されるテンプレート番号「L-3Y」用の注文入力票電子メールには、「自由あいさつ文（20文字以内）」という文字が記載される。
【００４８】
注文内容データベース２３２は、携帯電話機１から受信した注文入力票返信電子メールから抽出した注文内容情報としての注文内容データを記憶する。具体的には、例えば、図６の注文内容データベース２３２に示すように、注文識別番号２３２ａ、ユーザ電子メールアドレス２３２ｂ、テンプレート番号２３２ｃ、ユーザ画像２３２ｄ及びユーザ記入項目２３２ｅの各データを対応付けて記憶する。
注文識別番号２３２ａは、例えば、ユーザの携帯電話機１からテンプレート選択電子メールを受信した場合、あるいは注文入力票返信電子メールを受信した場合に、自動的に発番される番号であり、個々の注文を識別するための番号である。
【００４９】
受取店データベース２３３は、ユーザが出来上がったポストカードを受け取ることのできる店に関するデータを記憶する。具体的には、例えば、図７の受取店データベース２３３に示すのように、受取店コード２３３ａ、受取店住所２３３ｂ、受取店ＴＥＬ２３３ｃ及びプリント作製装置コード２３３ｄの各データを対応付けて記憶する。
プリント作製装置コード２３３ｄは、プリント作製装置３のうち、受取店から最寄りのプリント作製装置のコードを示す。
【００５０】
ＲＯＭ２４は、受注サーバ２で実行可能なシステムプログラム、当該システムプログラムで実行可能な各種処理プログラム、その処理プログラムで利用されるデータなどを格納している。これらのプログラムは、コンピュータが読み取り可能なプログラムコードの形でＲＯＭ２４内に格納されている。具体的には、本発明におけるＲＯＭ２４内には、注文入力票作成・送信プログラム２４１、注文情報作成・送信プログラム２４２などが格納されている。
【００５１】
注文入力票作成・送信プログラム２４１は、携帯電話機１から受信したテンプレート選択電子メールに基づいて注文入力票電子メール作成し、その注文入力票電子メールを携帯電話機１へ送信する機能を実現させる。より具体的には、注文入力票作成・送信プログラム２４１は、携帯電話機１から受信したテンプレート選択電子メールから抽出したテンプレート番号に対応する注文入力票データを、記憶部２３内の注文入力票データベース２３１から読み出し、読み出した注文入力票データに基づいて注文入力票電子メールを作成する。そして、作成した注文入力票電子メールを携帯電話機１へ送信する。ここで、ＣＰＵ２１は、かかる注文入力票作成・送信プログラム２４１を実行することによって、取得手段、注文票電子メール作成手段及び送信手段として機能する。
【００５２】
注文情報作成・送信プログラム２４２は、携帯電話機１から受信した注文入力票返信電子メールに基づいて注文内容データを作成し、その作成した注文内容データをユーザが指定した受取店の最寄りにあるプリント作製装置３へ送信する機能を実現させる。より具体的には、注文情報作成・送信プログラム２４２は、携帯電話機１から受信した注文入力票返信電子メールから抽出した注文内容データを、記憶部２３内の注文内容データベース２３２に記憶する。注文内容データベース２３２に記憶した受取店コードに対応するプリント作製装置コードを、記憶部２３内の受取店データベース２３３から読み出す。そして、読み出したプリント作製装置コードを有するプリント作製装置３へ、注文内容データベース２３２に記憶した注文内容データを送信する。ここで、ＣＰＵ２１は、かかる注文情報作成・送信プログラム２４２を実行することによって、記憶制御手段として機能する。
【００５３】
通信制御部２５は、モデム（ＭＯＤＥＭ:Modulator/DEModulator）、ターミナルアダプタ（Terminal Adapter）、ＬＡＮアダプタなどから構成され、外部機器と通信を行うための通信制御を行う。なお、本発明おける通信制御部２５は、携帯電話機１との電子メールの送受信及びプリント作製装置３への注文内容データの送信の際に使用される。
【００５４】
（プリント作製装置）
プリント作製装置３は、例えば、図８に示すように、ＣＰＵ３１、ＲＡＭ３２、記憶部３３、ＲＯＭ３４、プリント出力部３５及び通信制御部３６などを備えている。各部は、バス３７によって接続されている。
【００５５】
ＣＰＵ３１は、ＲＯＭ３４内に格納されたプリント作製装置３用の各種処理プログラムに従って各種の制御動作を行う。
【００５６】
ＲＡＭ３２は、ＣＰＵ３１によって実行される処理プログラムなどをＲＡＭ３２内のプログラム格納領域に展開するとともに、入力データや上記処理プログラムが実行される際に生じる処理結果などをワークエリアに格納する。
【００５７】
記憶部３３は、データなどが予め記憶されている記録媒体（図示略）を有しており、この記録媒体は磁気的、光学的記録媒体、若しくは半導体メモリで構成されている。記憶部３３は、ＲＯＭ３４内に格納された各種処理プログラムを実行する際に使用されるデータ、ＣＰＵ３１によって演算処理された処理結果のデータなどを記憶する。具体的には、本発明における記憶部３３内には、注文内容データベース３３１、テンプレートデータベース３３２、受取店データベース３３３などが格納されている。
【００５８】
注文内容データベース３３１は、受注サーバ２から受信した注文内容データを記憶する。当該注文内容データベース３３１は、受注サーバ２の記憶部２３内に格納されている注文内容データベース２３２とほぼ同一のものである。
【００５９】
テンプレートデータベース３３２は、ポストカードをプリント出力する際に必要なテンプレートに関するデータを記憶する。具体的には、テンプレート番号と、テンプレートデータ（テンプレート画像、フレーム位置など）とを対応付けて記憶する。
テンプレート画像は、例えば、図９（ａ）に示すように、装飾画像及び装飾文字がレイアウトされたテンプレート全体の画像のことである。
フレーム位置は、例えば、図９（ａ）に示すように、テンプレート内におけるユーザ画像及びユーザ記入文字をはめ込むフレームの位置のことである。具体的には、ポストカード用テンプレート内での画像フレーム（画像（１）、…）及び文字フレーム（住所、氏名、ＴＥＬ、自由あいさつ文、…）の位置を示す。
【００６０】
受取店データベース３３３は、ユーザが出来上がったポストカードを受け取ることのできる店に関するデータを記憶する。具体的には、受取店コード、受取店住所及び受取店ＴＥＬの各データを対応付けて記憶する。
【００６１】
ＲＯＭ３４は、プリント作製装置３で実行可能なシステムプログラム、当該システムプログラムで実行可能な各種処理プログラム、その処理プログラムで利用されるデータなどを格納している。これらのプログラムは、コンピュータが読み取り可能なプログラムコードの形でＲＯＭ３４内に格納されている。具体的には、本発明におけるＲＯＭ３４内には、ポストカード作製プログラム３４１などが格納されている。
【００６２】
ポストカード作製プログラム３４１は、受注サーバ２から受信した注文内容データに基づいてポストカード作製に必要なデータを作成し、その作成したデータをプリント出力することによってポストカードを作製する機能を実現させる。より具体的には、ポストカード作製プログラム３４１は、受注サーバ２から受信した注文内容データを、記憶部３３内の注文内容データベース３３１に記憶する。注文内容データベース３３１に記憶したテンプレート番号に対応するテンプレートデータを、記憶部３３内のテンプレートデータベース３３２から読み出す。そして、その読み出したテンプレートデータと、注文内容データベース３３１に記憶した注文内容データとを合成し、その合成したデータに基づく、例えば、図９（ｂ）に示すような合成画像を、プリント出力部３５においてプリント出力することによってポストカードを作製する。
【００６３】
プリント出力部３５は、給紙部（図示略）と排紙部（図示略）などを備え、ＣＰＵ３１からの制御信号に従って、ポストカードをプリント出力する。プリント出力部３５における出力方式は、インクジェット方式、熱転写方式、レーザ方式、昇華型方式、ＴＡ方式などのいずれの方式も使用可能である。
【００６４】
通信制御部３６は、モデム、ターミナルアダプタ、ＬＡＮアダプタなどから構成され、外部機器と通信を行うための通信制御を行う。なお、本発明における通信制御部３６は、受注サーバ２からの注文内容データの受信の際に使用される。
【００６５】
基地局４は、自己の設置場所から通信可能範囲に存在する携帯電話機１との間で、所定の通信方式による携帯電話機用の通信プロトコルに準じて通信を行う。
【００６６】
次に、第１の実施の形態のプリント注文システム１００におけるプリント注文処理を、図１０のフローチャートを参照して説明する。
【００６７】
まず、ユーザによる携帯電話機１の入力部１４の操作によって、表示部１６に表示された新規電子メール作成画面の宛先欄及び本文欄にそれぞれテンプレート番号送信アドレス及びテンプレート番号が入力される（ステップＳ１）。すると、表示部１６には、図１１に示すようなテンプレート選択電子メール画面が表示される。ここで、入力するテンプレート番号送信アドレス及びテンプレート番号は、ポストカード用スタッファ５に記載されている。特に、入力するテンプレート番号は、ポストカード用スタッファ５に掲載されている複数のポストカードサンプルの中から、ユーザが選択したポストカードサンプルの上部に記載されている番号とする。
次いで、ユーザによる入力部１４の送信操作に基づいて、ＣＰＵ１１は、作成されたテンプレート選択電子メールを、受注サーバ２に送信する（ステップＳ２）。
【００６８】
すると、受注サーバ２は、携帯電話機１から送信されたテンプレート選択電子メールを受信する（ステップＳ３）。受注サーバ２のＣＰＵ２１は、ＲＯＭ２４内に格納されている注文入力票作成・送信プログラム２４１を実行して、受信したテンプレート選択電子メールから抽出したテンプレート番号に対応する注文入力票データを、記憶部２３内の注文入力票データベース２３１から読み出す（ステップＳ４）。そして、ＣＰＵ２１は、読み出した注文入力票データに基づいて、注文入力票電子メールを作成し（ステップＳ５）、作成した注文入力票電子メールを、携帯電話機１へ送信する（ステップＳ６）。
【００６９】
すると、携帯電話機１は、受注サーバ２から送信された注文入力票電子メールを受信する（ステップＳ７）。このとき、ユーザによる入力部１４の操作によって、注文入力票電子メールの開示が指示されると、ＣＰＵ１１は、図１２に示すような注文入力票電子メール画面を表示部１６に表示させる。次に、ユーザによる入力部１４の操作によって、注文入力票電子メールに対する返信電子メールの作成が指示されると、ＣＰＵ１１は、注文入力票返信電子メール作成画面を表示部１６に表示させる。さらに、ユーザによる入力部１４の操作によって、表示部１６に表示された注文入力票返信電子メール作成画面の本文欄に必要事項が記入され、貼付欄に画像が貼付される（ステップＳ８）。ここで、画像は、テンプレートにはめ込む画像であり、記憶部１８内の撮影画像データ記憶エリア１８１から読み出され、ユーザによって選択される。すると、表示部１６には、図１３に示すような注文入力票返信電子メール画面が表示される。次いで、ＣＰＵ１１は、作成した注文入力票返信電子メールを、受注サーバ２に送信する（ステップＳ９）
【００７０】
受注サーバ２は、携帯電話機１から送信された注文入力票返信電子メールを受信する（ステップＳ１０）。受注サーバ２のＣＰＵ２１は、ＲＯＭ２４内に格納されている注文情報作成・送信プログラム２４２を実行して、受信した注文入力票返信電子メールから抽出した注文内容データを、記憶部２３内の注文内容データベース２３２に記憶させる（ステップＳ１１）。そして、ＣＰＵ２１は、注文内容データベース２３２に記憶した受取店コードに対応するプリント作製装置コードを、記憶部２３内の受取店データベース２３３から読み出し、ユーザが指定した受取店の最寄りにあるプリント作製装置３を決定する（ステップＳ１２）。次いで、ＣＰＵ２１は、決定したプリント作製装置３に、ステップＳ１１において記憶した注文内容データを送信する（ステップＳ１３）。
【００７１】
プリント作製装置３は、受注サーバ２から送信された注文内容データを受信する（ステップＳ１４）。プリント作製装置３のＣＰＵ３１は、ＲＯＭ３４内に格納されているポストカード作製プログラム３４１を実行して、受信した注文内容データを、記憶部３３内の注文内容データベース３３１に記憶させる（ステップＳ１５）。そして、ＣＰＵ３１は、注文内容データベース３３１に記憶したテンプレート番号に対応するテンプレートデータ（テンプレート画像、フレーム位置（図９（ａ）参照））を、記憶部３３内のテンプレートデータベース３３２から読み出す（ステップＳ１６）。次いで、ＣＰＵ３１は、ステップＳ１５で記憶した注文内容データとステップＳ１６で読み出したテンプレートデータとを合成し、その合成データに基づく、例えば、図９（ｂ）に示すような合成画像を、プリント出力部３５においてプリント出力することによってポストカードを作製する（ステップＳ１７）。
【００７２】
〔第２の実施の形態〕
次いで、第２の実施の形態について説明する。
図１４は、本発明の第２の実施の形態であるプリント注文システム１００ａの全体構成を示す図である。
なお、第２の実施の形態のプリント注文システム１００ａの特徴は、第１の実施の形態のプリント注文システム１００において、携帯電話機１のＲＯＭ１３内に格納しているプログラム、受注サーバ２の記憶部２３内に格納しているデータベース及び受注サーバ２のＲＯＭ２４内に格納しているプログラムが異なる点である。したがって、異なる個所のみについて説明し、その他の共通する部分は同一符号を付して説明を省略する。
【００７３】
図１５に示すように、本実施の形態における携帯電話機１ａのＲＯＭ１３ａ内には、更に、ウェブページ閲覧プログラム１３２が格納されている。
【００７４】
また、図１６に示すように、本実施の形態における受注サーバ２ａの記憶部２３ａ内には、第１の実施の形態における注文入力票データベース２３１に代えて、テンプレート情報記憶手段及び注文票ページ情報記憶手段としての注文入力ページデータベース２３４が格納されている。具体的には、例えば、図１７の注文入力ページデータベース２３４に示すように、テンプレート番号２３４ａと、注文入力ページ情報２３４ｂ、注文入力ページのＵＲＬ（Uniform Resource Locators）２３４ｃとを対応付けて記憶する。
注文入力ページ情報２３４ｂは、ユーザ画像の枚数、ユーザ記入項目などが記載された注文入力票を掲載したウェブページである注文票ページ情報としての注文入力ページに関するデータのことである。注文入力ページのＵＲＬは、注文入力ページにアクセスするためのアクセス情報のことである。
【００７５】
図１６に示すように本実施の形態における受注サーバ２ａのＲＯＭ２４ａ内には、第１の実施の形態における注文入力票作成・送信プログラム２４１に代えて、ＵＲＬ電子メール作成・送信プログラム２４３及び注文入力ページ情報読出・送信プログラム２４４が格納されている。
【００７６】
ＵＲＬ電子メール作成・送信プログラム２４３は、携帯電話機１ａから受信したテンプレート選択電子メールに基づいて注文票電子メールとしてのＵＲＬ電子メールを作成し、そのＵＲＬ電子メールを携帯電話機１ａへ送信する機能を実現させる。より具体的には、ＵＲＬ電子メール作成・送信プログラム２４３は、携帯電話機１ａから受信したテンプレート選択電子メールから抽出したテンプレート番号に対応する注文入力ページのＵＲＬを、記憶部２３ａ内の注文入力ページデータベース２３４から読み出し、読み出した注文入力ページのＵＲＬを記載したＵＲＬ電子メールを作成する。そして、作成したＵＲＬ電子メールを携帯電話機１ａへ送信する。ここで、ＣＰＵ２１は、かかるＵＲＬ電子メール作成・送信プログラム２４３を実行することによって、取得手段、注文票電子メール作成手段及び送信手段として機能する。
【００７７】
注文入力ページ情報読出・送信プログラム２４４は、携帯電話機１ａからの注文入力ページへのアクセスを受けて注文入力ページ情報を読み出し、その注文入力ページ情報を携帯電話機１ａへ送信する機能を実現させる。より具体的には、注文入力ページ情報読出・送信プログラム２４４は、携帯電話機１ａからの注文入力ページへのアクセスを受けて、注文入力ページのＵＲＬに対応する注文入力ページ情報を記憶部２３ａ内の注文入力ページデータベース２３４から読み出す。そして、読み出した注文入力ページ情報を携帯電話機１ａへ送信する。ここで、ＣＰＵ２１は、かかる注文入力ページ情報読出・送信プログラム２４４を実行することによって、注文票ページ情報取得手段及び注文票ページ情報送信手段として機能する。
【００７８】
次に、第２の実施の形態のプリント注文システム１００ａにおけるプリント注文処理を、図１８のフローチャートを参照して説明する。
【００７９】
まず、ユーザによる携帯電話機１ａの入力部１４の操作によって、表示部１６に表示された新規電子メール作成画面の宛先欄及び本文欄にそれぞれテンプレート番号送信アドレス及びテンプレート番号が入力される（ステップＳ１００）。すると、表示部１６には、図１１に示すようなテンプレート選択電子メール画面が表示される。ここで、入力するテンプレート番号送信アドレス及びテンプレート番号は、ポストカード用スタッファ５に記載されている。特に、入力するテンプレート番号は、ポストカード用スタッファ５に掲載されている複数のポストカードサンプルの中から、ユーザが選択したポストカードサンプルの上部に記載されている番号とする。
次いで、ユーザによる入力部１４の送信操作に基づいて、ＣＰＵ１１は、作成されたテンプレート選択電子メールを、受注サーバ２ａに送信する（ステップＳ１０１）。
【００８０】
すると、受注サーバ２ａは、携帯電話機１ａから送信されたテンプレート選択電子メールを受信する（ステップＳ１０２）。受注サーバ２ａのＣＰＵ２１は、ＲＯＭ２４ａ内に格納されているＵＲＬ電子メール作成・送信プログラム２４３を実行して、受信したテンプレート選択電子メールから抽出したテンプレート番号に対応する注文入力ページのＵＲＬを、記憶部２３ａ内の注文入力ページデータベース２３４から読み出す（ステップＳ１０３）。そして、ＣＰＵ２１は、読み出した注文入力ページのＵＲＬを記載したＵＲＬ電子メールを作成し（ステップＳ１０４）、作成したＵＲＬ電子メールを、携帯電話機１ａへ送信する（ステップＳ１０５）。
【００８１】
すると、携帯電話機１ａは、受注サーバ２ａから送信されたＵＲＬ電子メールを受信する（ステップＳ１０６）。このとき、ユーザによる入力部１４の操作によって、ＵＲＬ電子メールの開示が指示されると、ＣＰＵ１１は、図１９に示すようなＵＲＬ電子メール画面を表示部１６に表示させる。次に、ユーザによる入力部１４の操作によって、注文入力ページのＵＲＬがクリックされると、ＣＰＵ１１は、受注サーバ２ａにアクセスする（ステップＳ１０７）。
【００８２】
受注サーバ２ａのＣＰＵ２１は、携帯電話機１ａからの注文入力ページへのアクセスを受けて、ＲＯＭ２４ａ内に格納されている注文入力ページ情報読出・送信プログラム２４４を実行して、アクセスを受けた注文入力ページのＵＲＬに対応する注文入力ページ情報を、記憶部２３ａ内の注文入力ページデータベース２３４から読み出す（ステップＳ１０８）。そして、ＣＰＵ２１は、読み出した注文入力ページ情報を、携帯電話機１ａへ送信する（ステップＳ１０９）。
【００８３】
携帯電話機１ａは、受注サーバ２ａから送信された注文入力ページ情報を受信すると（Ｓ１１０）、携帯電話機１ａのＣＰＵ１１は、ＲＯＭ１３ａ内に格納されているウェブページ閲覧プログラム１３２を実行して、図２０（ａ）に示すような注文入力ページ画面を表示部１６に表示させる（Ｓ１１１）。ユーザによる入力部１４の操作によって、表示部１６に表示された注文入力ページ画面のユーザ記入項目の欄に必要事項が記入され、ユーザ画像の欄に画像が貼付される（ステップＳ１１２）。ここで、ユーザ画像は、テンプレートにはめ込む画像を示し、記憶部１８内の撮影画像データ記憶エリア１８１から読み出され、ユーザによって選択される。すると、表示部１６には、図２０（ｂ）に示すような画面が表示される。次いで、ユーザによる入力部１４の操作によって、図２０（ｂ）における「注文」ボタンが選択されると、ＣＰＵ１１は、ステップＳ１１２において注文内容データを入力及び貼付した注文入力返信ページ情報を受注サーバ２ａに送信する（ステップＳ１１３）。
【００８４】
受注サーバ２ａは、携帯電話機１ａから送信された注文入力返信ページ情報を受信する（ステップＳ１１４）。受注サーバ２ａのＣＰＵ２１は、ＲＯＭ２４ａ内に格納されている注文情報作成・送信プログラム２４２を実行して、受信した注文入力返信ページ情報から抽出した注文内容データを、記憶部２３ａ内の注文内容データベース２３２に記憶させる（ステップＳ１１５）。そして、ＣＰＵ２１は、注文内容データベース２３２に記憶した受取店コードに対応するプリント作製装置コードを、記憶部２３ａ内の受取店データベース２３３から読み出し、ユーザが指定した受取店の最寄りにあるプリント作製装置３を決定する（ステップＳ１１６）。次いで、ＣＰＵ２１は、決定したプリント作製装置３に、ステップＳ１１５において記憶した注文内容データを送信する（ステップＳ１１７）。
【００８５】
プリント作製装置３は、受注サーバ２ａから送信された注文内容データを受信する（ステップＳ１１８）。プリント作製装置３のＣＰＵ３１は、ＲＯＭ３４内に格納されているポストカード作製プログラム３４１を実行して、受信した注文内容データを、記憶部３３内の注文内容データベース３３１に記憶させる（ステップＳ１１９）。そして、ＣＰＵ３１は、注文内容データベース３３１に記憶したテンプレート番号に対応するテンプレートデータ（テンプレート画像、フレーム位置（図９（ａ）参照））を、記憶部３３内のテンプレートデータベース３３２から読み出す（ステップＳ１２０）。次いで、ＣＰＵ３１は、ステップＳ１１９で記憶した注文内容データとステップＳ１２０で読み出したテンプレートデータとを合成し、その合成データに基づく、例えば、図９（ｂ）に示すような合成画像を、プリント出力部３５においてプリント出力することによってポストカードを作製する（ステップＳ１２１）。
【００８６】
以上説明した本発明のプリント注文システム１００、１００ａによれば、本発明のプリント注文システム１００、１００ａを利用するユーザは、テンプレート番号のみを入力したテンプレート選択電子メールを受注サーバ２、２ａに送信するだけで、プリント注文を行うために必要なユーザ記入項目やユーザ画像の枚数が記載された注文入力票を入手することができ、そして、その注文入力票に必要事項を記入し、画像を貼付することによって、ポストカード作製を注文することができる。したがって、より簡便で利用しやすく、効率的なプリント注文サービスを提供することができる。
また、ポストカード用スタッファ５上で、テンプレート同士を比較検討することができるため、携帯電話機１、１ａを用いて本発明のプリント注文システム１００、１００ａを利用するユーザは、表示画面の大きさに限界のある携帯電話機１、１ａを用いても、充実したプリント注文サービスを利用することができる。
【００８７】
なお、本発明は、上記した実施の形態のものに限るものではない。
テンプレート番号の入力は、例えば、スタッファにテンプレート番号を示すバーコードを掲載しておき、バーコード読取機能付き携帯電話機により、このバーコードを読み取ることにより行う構成のものであってもよい。
【００８８】
プリント注文は、ポストカード作製の注文だけでなく、画像加工物であれば、例えば、カレンダー、グリーティングガード、名刺などの作製の注文も、上記と同様の形態で受け付けることができる。
【００８９】
テンプレートにはめ込むユーザ画像は、例えば、プリント画像、フィルム画像、メディアに記憶した画像データなどの形で、ユーザによって直接、受取店やスタッファを入手した店などの、例えば、フォトサービスを提供する写真専門店や取次店などに持参されてもよい。
【００９０】
また、スタッファは、フォトサービスを提供する写真専門店や取次店などから入手できるだけでなく、例えば、新聞や雑誌などに掲載された広告などの形で入手できるようにしてもよい。プリント作製装置３は、特開２００１−３４４３１３号公報に示すようなラボに対して送るような形態でもよい。
【図面の簡単な説明】
【００９１】
【図１】本発明の第１の実施の形態であるプリント注文システムの全体構成を示す図である。
【図２】プリント注文の際に利用するスタッファの例として、ポストカード用スタッファを示す図である。
【図３】図１に示した携帯電話機の機能的構成を示すブロック図である。
【図４】図１に示した受注サーバの機能的構成を示すブロック図である。
【図５】図４に示した注文入力票データベースのデータ構造を示す図である。
【図６】図４に示した注文内容データベースのデータ構造を示す図である。
【図７】図４に示した受取店データベースのデータ構造を示す図である。
【図８】図１に示したプリント作製装置の機能的構成を示すブロック図である。
【図９】ポストカード作製用のテンプレートの例（ａ）と、テンプレートへユーザ画像及びユーザ記入文字をはめ込んだポストカードの例（ｂ）を示す図である。
【図１０】第１の実施の形態の動作を説明するためのフローチャートである。
【図１１】テンプレート選択電子メール画面を示す図である。
【図１２】注文入力票電子メール画面を示す図である。
【図１３】必要事項の記入及び画像の貼付を行った後の注文入力票返信電子メール画面を示す図である。
【図１４】本発明の第２の実施の形態であるプリント注文システムの全体構成を示す図である。
【図１５】図１４に示した携帯電話機の機能的構成を示すブロック図である。
【図１６】図１４に示した受注サーバの機能的構成を示すブロック図である。
【図１７】図１６に示した注文入力ページデータベースのデータ構造を示す図である。
【図１８】第２の実施の形態の動作を説明するためのフローチャートである。
【図１９】ＵＲＬ電子メール画面を示す図である。
【図２０】注文入力ページ画面のうち、必要事項の記入及び画像の貼付を行う前（ａ）と、必要事項の記入及び画像の貼付を行った後（ｂ）を示す図である。
【符号の説明】
【００９２】
１００、１００ａ  プリント注文システム
１、１ａ  携帯電話機
１１  ＣＰＵ（注文依頼電子メール送信手段）
１２  ＲＡＭ
１３  ＲＯＭ
１３１  電子メール作成・送受信プログラム（注文依頼電子メール送信手段）
１３２  ウェブページ閲覧プログラム
１４  入力部（入力手段）
１６  表示部
１７  無線通信制御部
２、２ａ  受注サーバ
２１  ＣＰＵ（取得手段、注文票電子メール作成手段、送信手段、記憶制御手段、注文票ページ情報取得手段、注文票ページ情報送信手段）
２２  ＲＡＭ
２３  記憶部
２３１  注文入力票データベース（テンプレート情報記憶手段）
２３２  注文内容データベース（プリント注文内容記憶手段）
２３３  受取店データベース
２３４  注文入力ページデータベース（テンプレート情報記憶手段、注文票ページ情報記憶手段）
２４  ＲＯＭ
２４１  注文入力票作成・送信プログラム（取得手段、注文票電子メール作成手段、送信手段）
２４２  注文情報作成・送信プログラム（記憶制御手段）
２４３  ＵＲＬ電子メール作成・送信プログラム（取得手段、注文票電子メール作成手段、送信手段）
２４４  注文入力ページ情報読出・送信プログラム（注文票ページ情報取得手段、注文票ページ情報送信手段）
２５  通信制御部（送信手段、注文票ページ情報送信手段）
３  プリント作製装置
４  基地局
５  ポストカード用スタッファ
【図１】
2006268105.tif 000003
【図２】
2006268105.tif 000004
【図３】
2006268105.tif 000005
【図４】
2006268105.tif 000006
【図５】
2006268105.tif 000007
【図６】
2006268105.tif 000008
【図７】
2006268105.tif 000009
【図８】
2006268105.tif 000010
【図９】
2006268105.tif 000011
【図１０】
2006268105.tif 000012
【図１１】
2006268105.tif 000013
【図１２】
2006268105.tif 000014
【図１３】
2006268105.tif 000015
【図１４】
2006268105.tif 000016
【図１５】
2006268105.tif 000017
【図１６】
2006268105.tif 000018
【図１７】
2006268105.tif 000019
【図１８】
2006268105.tif 000020
【図１９】
2006268105.tif 000021
【図２０】
2006268105.tif 000022